(57)【特許請求の範囲】
【請求項１】
複数の成端架及び交換機が、複数の光ファイバを含むケーブルで接続された通信設備所内にあって、
前記光ファイバの両方の光ファイバ端と、該光ファイバ端を収容する前記成端架及び交換機のポートとに識別情報が付与されており、
接続された前記光ファイバ端と前記ポートとの識別情報を対応付けた区間接続情報を含む設備情報データベースと、
前記通信設備所内で、１つ以上の中継を行う成端架の介在により複数の区間からなる最上部と最下部との端点間の端点間接続情報を、１つ以上の前記区間接続情報を用いて検索する検索手段と、
を有する配線在庫管理サーバを有することを特徴とする所内配線在庫管理システム。
【請求項２】
前記識別情報はバーコード情報であり、
前記サーバは、前記バーコード情報をバーコードリーダを有する携帯端末から受信する受信手段と、受信した前記光ファイバ端及び前記ポートの２つのバーコード情報を区間接続情報として前記設備情報データベースへ登録する登録手段とを更に有することを特徴とする請求項１に記載の所内配線在庫管理システム。
【請求項３】
前記検索手段は、前記端点間が接続されている場合、その端点間の複数の光ファイバは現用心線とし、前記端点間が接続されていない場合、その端点間の複数の光ファイバは配線在庫の非現用心線として、端点間接続情報を出力することを特徴とする請求項１又は２に記載の所内配線在庫管理システム。
【請求項４】
前記サーバの前記検索手段は、一定時間毎に行われることを特徴とする請求項３に記載の所内配線在庫管理システム。
【請求項５】
前記サーバは、前記検索手段によって検索された前記端点間接続情報を時系列的に蓄積する在庫情報データベースを更に有することを特徴とする請求項３又は４に記載の所内配線在庫管理システム。
【請求項６】
前記サーバの前記在庫情報データベースは、前記端点間接続情報と共に、現在の登録時間を登録することを特徴とする請求項５に記載の所内配線在庫管理システム。
【請求項７】
前記サーバは、前記端点間における前記端点間接続情報及び前記区間接続情報の総心線数、現用心線数、非現用心線数及び不良心線数を表示する表示手段を有することを特徴とする請求項５又は６に記載の所内配線在庫管理システム。
【請求項８】
前記表示手段は、前記端点間における前記端点間接続情報及び前記区間接続情報の総心線数、現用心線数、非現用心線数及び不良心線数の過去の増減推移状態を表示することを特徴とする請求項７に記載の所内配線在庫管理システム。
【請求項９】
前記表示手段は、前記端点間接続情報又は前記区間接続情報における前記非現用心線数の所定数以上の減少に対してアラームを表示することを特徴とする請求項７又は８に記載の所内配線在庫管理システム。
【請求項１０】
前記表示手段は、前記区間接続情報を用いて、特定の成端架又は交換機における全ての前記ポートに接続された前記光ファイバについて、総心線数、現用心線数、非現用心線数及び不良心線数を表示することを特徴とする請求項７から９のいずれか１項に記載の所内配線在庫管理システム。
【請求項１１】
前記表示手段は、前記区間接続情報を用いて、対向して接続された２つの前記成端架又は交換機における全ての前記光ファイバについて、総心線数、現用心線数、非現用心線数及び不良心線数を表示することを特徴とする請求項７から１０のいずれか１項に記載の所内配線在庫管理システム。
【請求項１２】
前記表示手段は、前記区間接続情報を用いて、特定種類の複数の成端架又は交換機における全ての前記ポートに接続された前記光ファイバについて、総心線数、現用心線数、非現用心線数及び不良心線数を表示することを特徴とする請求項７から１１のいずれか１項に記載の所内配線在庫管理システム。
【発明の詳細な説明】
【０００１】
【発明の属する技術分野】
本発明は、複数の成端架及び交換機が複数の光ファイバを含むケーブルで接続された通信設備所内における配線在庫管理システムに関する。
【０００２】
【従来の技術】
従来、局内の通信設備所内において、ケーブルの識別情報と交換機の収容ポートとの識別情報を互いに関連付け、その接続状態をコンピュータで管理していた。これにより、未接続ケーブルの配線在庫量（設備保有量）を把握することが可能であった。
【０００３】
【発明が解決しようとする課題】
しかし、従来の技術によれば、通信設備所内におけるケーブルと収容ポートとの接続状態しか管理していないため、１つの指定区間毎の点的な管理しかなされていない。即ち、ある１つの指定区間のみの接続状態「接続済み・未接続・不良・予約済み」しか把握できないので、所外側端点(成端架)から所内側端点(所内装置）までの端点間の広域的な接続状態を把握することはできなかった。
【０００４】
また、１本のケーブルは複数の光ファイバ（心線）から構成されているものの、従来の技術によれば、対象心線を利用して現在通信サービスが提供されているかどうか（心線が現用かどうか）は、管理されていない。従って、１つの指定区間内で接続済みケーブルに含まれる心線であっても、次区間においては未接続心線である場合も生じる。この場合、端点間では接続されていないものの、その中の一部の区間においては、心線が使用状態となる可能性がある。このような心線の増加は、在庫数を無駄に減少させることになる。
【０００５】
このように、所内配線の端点間における広域的な接続状態が把握されず、真にその心線が現用であるか又は非現用であるかが特定されていないために、局における通信設備所内では、実際に設備の使用状態が明確に把握されていない。この状態にあって、将来的な需要予測を行わなければならず、その予測は困難を要していた。即ち、在庫減少の判定は、区間毎の未接続設備の絶対量がある閾値を越えた場合にのみ把握できるだけであった。従って、端点間の広域的かつ時間軸的に配線在庫量を把握することが困難であったために、正確な使用率の確定がなされていない。また、現状の設備状態のみを管理したとしても、時間軸的な設備保有量の経過が把握できないので、各種設備保有量の推移から需要予測をすることはできない。従って、以下のような課題も生じている。
【０００６】
第１に、通信設備所内における配線在庫をリアルタイムに把握できない。心線の現用及び非現用を特定するには、最上部と最下部との端点間の接続状態を区間毎に把握する必要がある。このために、オペレータは、端点間の区間毎に接続状態を検索且つ確認し、最終的に端点間で接続されている心線を現用とし、途中で未接続とされている心線を非現用（空き）として確認する。このような作業を行うのでは、広域にわたる該端点間の接続状態をリアルタイムに把握することはできない。
【０００７】
第２に、端点間で現用及び非現用として確認された接続状態に基づいて、オペレータは、通信設備所内全ての区間毎の接続状態を調査し、集計する必要がある。
【０００８】
第３に、配線在庫量の時間推移を把握するためには、定期的に上記第１及び第２の作業を実施する必要がある。指定区間において過去に現用心線と判断した場合であっても、時間経過とともに非現用心線となっている場合もある。一方で、一度非現用心線と判断された場合であっても、新規需要において他の収容ポートへの接統が実施され、現用心線となっている場合もある。従って、配線在庫量の時間推移を把握するには、上記第１及び第２の作業をオペレータが将来的に繰り返す必要がある。
【０００９】
前述したように、通信設備所内において中長期的な需要予測に必要な配線在庫量を把握するためには、オペレータが手動により区間毎の接続状態を確認・集計・保存・蓄積しなくてはならず、設備保有量の増大とともに、多大なコストと時間とを要する。
【００１０】
これに対し、近年、光ファイバの需要は急増しており、その増加は、通信設備所の設備量の増加につながっている。また、特異的な地域事情等による突発的且つ大量の新規加入者も急増しており、今後も増え続くと予想される新規な光ファイバ需要に対し、早期な所内配線設備の把握と増設対応が必要である。即ち、現用及び非現用の特定による真の在庫量のリアルタイム的な把握と、正確な心線使用率の推移による中長期の需要増加を見込んだ精度の高い需要の予測が求められる。
【００１１】
そこで、本発明は、前述した問題点を解決するべく、通信設備所内にあって、ケーブルに含まれる光ファイバ心線の在庫を容易に把握することができる配線在庫管理システムを提供することを目的とする。
【００１２】
【課題を解決するための手段】
本発明の所内配線在庫管理システムによれば、光ファイバの両方の光ファイバ端と、該光ファイバ端を収容する成端架及び交換機のポートとに識別情報が付与されており、接続された光ファイバ端とポートとの識別情報を対応付けた区間接続情報を含む設備情報データベースと、通信設備所内で、１つ以上の中継を行う成端架の介在により複数の区間からなる最上部と最下部との端点間の端点間接続情報を、１つ以上の区間接続情報を用いて検索する検索手段とを有する配線在庫管理サーバを有することを特徴とする。これにより、通信設備所内にあって、ケーブルに含まれる光ファイバ心線の在庫を容易に把握することができる。
【００１３】
本発明の他の実施形態によれば、識別情報はバーコード情報であり、サーバは、バーコード情報をバーコードリーダを有する携帯端末から受信する受信手段と、受信した光ファイバ端及びポートの２つのバーコード情報を区間接続情報として設備情報データベースへ登録する登録手段とを更に有することも好ましい。これにより、光ファイバ端とポートとの接続状態を容易に管理することができる。
【００１４】
本発明の他の実施形態によれば、検索手段は、端点間が接続されている場合、その端点間の複数の光ファイバは現用心線とし、端点間が接続されていない場合、その端点間の複数の光ファイバは配線在庫の非現用心線として、端点間接続情報を出力することも好ましい。これにより、区間単位では正常に接続されているものの、端点間単位では接続されていないような、無駄に使用されている心線及び設備を在庫として管理することができる。
【００１５】
本発明の他の実施形態によれば、サーバの検索手段は、一定時間毎に行われることも好ましい。これにより、常に在庫情報が更新されているので、オペレータは、リアルタイムに在庫状態を把握することができる。
【００１６】
本発明の他の実施形態によれば、サーバは、検索手段によって検索された端点間接続情報を時系列的に蓄積する在庫情報データベースを更に有することも好ましい。これにより、オペレータは、端点間単位で在庫状況を把握することができる。
【００１７】
本発明の他の実施形態によれば、サーバの在庫情報データベースは、端点間接続情報と共に、現在の登録時間を登録することも好ましい。これにより、オペレータは、端点間接続情報における過去から現在までの時間的推移を把握することができる。
【００１８】
本発明の他の実施形態によれば、サーバは、端点間における端点間接続情報及び区間接続情報の総心線数、現用心線数、非現用心線数及び不良心線数を表示する表示手段を有することも好ましい。
【００１９】
本発明の他の実施形態によれば、表示手段は、端点間における端点間接続情報及び区間接続情報の総心線数、現用心線数、非現用心線数及び不良心線数の過去の増減推移状態を表示することも好ましい。
【００２０】
本発明の他の実施形態によれば、表示手段は、端点間接続情報又は区間接続情報における非現用心線数の所定数以上の減少に対してアラームを表示することも好ましい。これにより、オペレータの監視負担を軽減することができる。
【００２１】
本発明の他の実施形態によれば、表示手段は、区間接続情報を用いて、特定の成端架又は交換機における全てのポートに接続された光ファイバについて、総心線数、現用心線数、非現用心線数及び不良心線数を表示することも好ましい。
【００２２】
本発明の他の実施形態によれば、表示手段は、区間接続情報を用いて、対向して接続された２つの成端架又は交換機における全ての光ファイバについて、総心線数、現用心線数、非現用心線数及び不良心線数を表示することも好ましい。
【００２３】
本発明の他の実施形態によれば、表示手段は、区間接続情報を用いて、特定種類の複数の成端架又は交換機における全てのポートに接続された光ファイバについて、総心線数、現用心線数、非現用心線数及び不良心線数を表示することも好ましい。
【００２４】
【発明の実施の形態】
以下では、図面を用いて、本発明の実施形態に係る所内配線在庫管理システムを詳細に説明する。
【００２５】
図１は、管理される通信設備所内の構成図である。
【００２６】
図１によれば、通信設備所内は、複数の成端架及び交換機が、複数の光ファイバを含むケーブルで接続されている。光ファイバ（心線）の両端には、コネクタが装着されている。また、そのコネクタ（光ファイバ端）と、コネクタを収容する成端架及び交換機のポートとにバーコードが付されている。
【００２７】
交換機内のパッケージの収容ポートに、ケーブルに含まれる光ファイバ心線の一方のコネクタが接続される。また、その光ファイバ心線の他方のコネクタは、中間成端架に収容されている収容ポートの光アダプタに接続される。更に、その光アダプタの他方の収容ポートに、光ファイバ心線の一方のコネクタが接続される。また、その光ファイバ心線の他方のコネクタは、成端架に収容されている収容ポートの光アダプタに接続される。これにより、交換機から発出された光は、所外ケーブルまで到達し、通信サービスの顧客まで通信経路が確立される。
【００２８】
図２は、図１の通信設備所を管理する、本発明による所内配線在庫管理システムのシステム構成図である。図２のシステムは、配線在庫管理サーバ１及びプリンタと、バーコードリーダ２を有する携帯端末と、それらの伝送媒体となる通信網とからなる。配線在庫管理サーバ１は、通信設備所内と離れた位置に存在するものであってもよい。一方、携帯端末は、光ファイバ又は収容ポートに付されたバーコードを読み取る必要があるので、通信設備所内の存在する。図２によれば、携帯端末は、有線通信のためのＴＡ(Terminal Adapter)／ルータ、又は無線通信のための無線ルータを介して通信網に接続され、配線在庫管理サーバ１と通信する。
【００２９】
図３は、本発明による配線在庫管理サーバ１の機能構成図である。図３によれば、配線在庫管理サーバ１は、設備情報データベース１０と、在庫情報データベース１１と、受信手段１２と、登録手段１３と、タイマ１４と、検索手段１５と、表示手段１６とからなる。
【００３０】
受信手段１２は、接続された光ファイバ端とポートと２つのバーコード情報を、バーコードリーダ２から受信する。登録手段は、対応付けられた２つのバーコード情報を、タイマ１４から得られる現在時間とともに、設備情報データベース１０へ登録する。設備情報データベース１０は、接続された光ファイバ端とポートとのバーコード情報を対応付けた区間接続情報を蓄積する。検索手段１５は、通信設備所内で複数の区間からなる最上部と最下部との端点間の端点間接続情報を、１つ以上の区間接続情報を用いて検索する。在庫情報データベース１１は、その端点間接続情報を検索時間と共に蓄積する。表示手段１６は、様々な角度で解析された端点間接続情報をオペレータに提供する。
【００３１】
以下の表１は、端点間接続情報におけるパターンを分けたものである。所外側（最下部）から所内側（最上部）までの間に接続されている分岐モジュール又は波長多重モジュールによって、端点間接続情報を検索するためのアルゴリズムを柔軟に変更する。
【００３２】
【表１】
0003931671.tif 000002
【００３３】
図４及び図５は、配線在庫管理サーバ１の検索手段１５が現用心線を特定するためのフローチャートである。
【００３４】
図４によれば、最下部である成端架のポートから、最上部である交換機のポートへ向かって、区間接続情報を逐次検索していく。最初に、最下部の成端架のポートに光ファイバ心線が接続されていなければ、空きポートと判断される。次に、そのポートに光ファイバが接続されていれば、その光ファイバの他方の端が他の成端架に接続されているか否か、即ち上部接続点情報を検索する。その結果、接続されていなければ、その端点間は非現用と判断される。一方、接続されていれば、その上部接続先のサービスタイプを判定する。
【００３５】
サービスタイプが「直収」又は「分岐」であれば、その成端架のポートの背面に接続されてポートの有無を調べる。背面に接続されているポートが有るならば、再び、上部接続点情報を検索する。これらの判定を繰り返し、背面接続点がなくなり、最上部ポートと判断された場合、現用と判断される。
【００３６】
サービスタイプが「波長多重」であれば、図５のフローチャートとなる。この場合、複数のルートに対して通過ルートとしてカウントし、一つの成端架ポートに対して複数の所内装置又は成端架ポートまでのルートがあるということが在庫情報データベース１１に記憶される。もし、対向入力ポートが未接続であれば、非現用と判断する。一方、対向入力ポートが接続されていれば、入力ポート番号を検索し、全ての入力ポート番号について上部接続点情報を検索する。上部接続点が全て存在するならば現用と判断されるが、いずれか１つでも上部接続点がなければ非現用と判断される。
【００３７】
前述のようなフローチャートに沿って判定され、その端点間で接続がなされていなければ、その端点間における各種設備(アダプタ、心線等)は空き設備として在庫情報データベース１１に記憶される。一方、その端点間で接続がなされていれば、各種設備は現用設備として在庫情報データベース１１に記憶される。
【００３８】
図６は、本発明によるサーバの在庫管理情報の表示画面である。光ファイバ端のバーコード情報と、成端架又は交換機の収容ポートバーコード情報とを参照し、接続構成が表示される。接続が実施された日時を示す接続履歴は、設備情報データベース１０が登録時間を記憶しているために、時系列的な接続状態の管埋が可能となる。また、在庫情報データベース１１により隔月の在庫量のスナップショットを記憶することも可能であり、その使用状況の推移を基に在庫量の行詰り時期の特定と増設設備量の算出を自動で行うことが可能である。
【００３９】
更に、図６によれば、端点間（最下部の成端架から最上部の成端架又は交換機まで）の設備使用状況が帳票として表示される。即ち、設備情報データベース１０及び在庫情報データベース１１によって端点間の設備情報及び使用状況を表示することができる。従って、光ファイバ心線の在庫管理が容易となる。
【００４０】
図７は、本発明によるサーバの需要予測情報の表示画面である。図７によれば、過去の需要数の増加傾向を直線グラフにて表示されている。高精度に把握可能な使用率の向上推移より今後の必要設備量と増設工事発注時期の予測が可能となる。
【００４１】
図８は、本発明によるサーバの在庫情報詳細の表示画面である。図８によれば、指定した対象設備における設備保有量の内訳が表示されている。各設備の使用状況が加味された設備保有量をビジュアル的に表示されており、オペレータは、迅速に対象設備の在庫使用状況を判断することができる。
【００４２】
図９は、本発明によるサーバの在庫情報履歴の表示画面である。図９によれば、指定した対象区間における過去の在庫使用推移を把握することも可能である。指定対象区間において存在する設備種別(ケーブル・成端架・所内装置)ごとの設備在庫量の推移及びこれまでに発生したワーニング（アラーム）の履歴を確認することができ、各対象設備別の使用状況を把握することが可能になる。アラームは、端点間における区間接続情報又は端点間接続情報の非現用心線数が、所定数以上に減少した場合に表示される。
【００４３】
前述した本発明の所内配線在庫管理システムの種々の実施形態によれば、本発明の技術思想及び見地の範囲の種々の変更、修正及び省略が、当業者によれば容易に行うことができる。前述の説明はあくまで例であって、何ら制約しようとするものではない。本発明は、特許請求の範囲及びその均等物として限定するものにのみ制約される。
【００４４】
【発明の効果】
以上、詳細に説明したように、本発明の所内配線在庫管理システムによれば、通信設備所内にあって、ケーブルに含まれる光ファイバ心線の在庫を容易に把握することができ、設備保有量も自動的に算出することができる。従来、区間毎の１ケーブル単位での接続状態しか把握できなかったものが、最上部から最下部までの端点間での接続状態を把握することでき、オペレータにおける設備状況の視認性の向上が可能となる。
【００４５】
また、本発明において今まで膨大な稼動を費やしてきた端点間ルートごとの心線在庫把握における稼動の削減、心線在庫量の集計に伴う莫大な稼動の削減、及び、心線在庫量の時間軸的な推移からの需要予測稼動の削減から、中長期設備投資計画の作成が高精度をもって対応可能であり、より迅速かつ正確な需要予測も可能となり、現在のブロードバンド時代を代表する光所内設備の早期対応が可能となる。
【００４６】
また、本発明において今まで接続されていることのみを管理していた心線接続状況を、現用で無いものと現用心線であるものとを高精度かつリアルタイムに判別が可能であるので、心線のより迅速かつ正確な対照が可能となった。
【００４７】
また、端点間の配線在庫をリアルタイムに把握することができるので、余剰に設備投資することを抑制でき、より低コストな設備投資が可能となる。
【００４８】
また、端点間における使用数の推移が把握可能になることから対向するサービス種別毎に分けられた所内装置毎の使用状況の増減傾向が分かることからより市場が求めているトレンドの把握がリアルタイムに把握が可能になることで、より需要に即した設備構築が可能となった。
【００４９】
更には、表示された各設備において在庫状況等を表示することで、操作性の向上のみならず、在庫状況把握の高速化が可能となった。また本発明は、光所内媒体のみに特化した技術ではなく、容易に他分野(所外・中継)や他媒体(メタリックケーブル設備)に適用可能である。
【図面の簡単な説明】
【図１】本発明によって管理される通信設備所内のシステム構成図である。
【図２】本発明による所内配線在庫管理システムのシステム構成図である。
【図３】本発明による配線在庫管理サーバの機能構成図である。
【図４】配線在庫管理サーバの検索手段が現用心線を特定するためのフローチャートの前段である。
【図５】配線在庫管理サーバの検索手段が現用心線を特定するためのフローチャートの後段である。
【図６】本発明によるサーバの在庫管理情報の表示画面である。
【図７】本発明によるサーバの需要予測情報の表示画面である。
【図８】本発明によるサーバの在庫情報詳細の表示画面である。
【図９】本発明によるサーバの在庫情報履歴の表示画面である。
【符号の説明】
１  配線在庫管理サーバ
１０  設備情報データベース
１１  在庫情報データベース
１２  受信手段
１３  登録手段
１４  タイマ
１５  検索手段
１６  表示手段
２  バーコードリーダ
【図１】
0003931671.tif 000003
【図２】
0003931671.tif 000004
【図３】
0003931671.tif 000005
【図４】
0003931671.tif 000006
【図５】
0003931671.tif 000007
【図６】
0003931671.tif 000008
【図７】
0003931671.tif 000009
【図８】
0003931671.tif 000010
【図９】
0003931671.tif 000011